(57)【要約】【課題】  リンク部材の下降動作が外筐体の底板で制約を受けることを防止し、リンク部材の下降ストロークを長くして収納庫の使用位置を低くできるようにし、収納物品の出し入れ操作と、外筐体の底面上の落下物の確認、排除を容易化する。【解決手段】  外筐体２と収納庫４とを備え、収納庫４をリンク部材５で外筐体２の前側下方の使用位置に回動させて配置自在に形成する。リンク部材５の一端を外筐体２の側板２ａの内面に軸７で枢着すると共に、他端を収納庫４の外側壁４ａに軸９で枢着する。外筐体２の底板２ｂに、リンク部材５を通過させるための切欠部２１を、外筐体２の底板２ｂの前側を左右方向にわたって開口して形成する。収納庫４の底板を、前側を低く後側が高い状態で段差状に形成する。切欠部２１に臨む収納庫４の前側の底板４ｂを外筐体２の底板２ｂと底面を面一にして形成する。【選択図】      図１
2012106108.tif 000002
【特許請求の範囲】
【請求項１】
壁面の上方位置に取り付けられる外筐体と、この外筐体に内蔵される収納庫とを備え、この収納庫が相対する両側のリンク部材で外筐体の前側下方の使用位置に回動されて配置自在に形成されている昇降式アッパーキャビネットであって、上記のリンク部材の一端が上記の外筐体の側板の内面に軸で枢着されると共に、他端が上記の収納庫の外側壁に軸で枢着され、上記の外筐体の底板に、上記のリンク部材を通過させるための切欠部が、外筐体の底板の前側が左右方向にわたって開口されて形成され、上記の収納庫の底板が、前側を低く後側が高い状態で段差状に形成され、上記の切欠部に臨む収納庫の前側の底板が外筐体の底板と底面を面一にして形成されていることを特徴とする昇降式アッパーキャビネット。
【請求項２】
請求項１記載の昇降式アッパーキャビネットであって、使用位置に配置された収納庫の背板から壁面までの距離が、外筐体の奥行き寸法と略一致するよう、リンク部材の下降方向における最大回動角度が選定されていることを特徴とする昇降式アッパーキャビネット。
【請求項３】
請求項１又は２記載の昇降式アッパーキャビネットであって、リンク部材の一端が外筐体の側板の内面に固定された金属板に軸で枢着され、他端が収納庫の外側壁の上部に固定された金属プレートに軸で枢着されていることを特徴とする昇降式アッパーキャビネット。
【請求項４】
請求項１乃至３の何れかに記載の昇降式アッパーキャビネットであって、収納庫の前側の底板に、昇降操作用の把手が外筐体の底面より下方に突き出されて設けられていることを特徴とする昇降式アッパーキャビネット。
【発明の詳細な説明】
【技術分野】
【０００１】
本発明は、昇降式アッパーキャビネットに関し、更に詳しくは台所の流し台やレンジ台等の上方の壁面や、洗面室の壁面の上方位置に取り付けて使用する昇降式アッパーキャビネットに関するものである。
【背景技術】
【０００２】
従来この種のキャビネットとしては、例えば図９に示されるように、壁面ａの上方位置に取り付けられる外筐体ｂと、この外筐体ｂに内蔵される収納庫ｃとを備え、この収納庫ｃが相対する両側のリンク部材ｄで外筐体ｂの前側下方の使用位置に回動されて配置自在に形成されているものがある。
【先行技術文献】
【特許文献】
【０００３】
【特許文献１】特開２０００ー１０６９５８号公報
【発明の概要】
【発明が解決しようとする課題】
【０００４】
ところでこの種のキャビネットは、外筐体の前側下方の使用位置において収納庫に物品を出し入れするものであるから、この種の作業を腕を高くあげる必要なく、例えば背の低い人や高齢者でも楽にできるよう、収納庫をできるだけ低い位置に配置できるよう形成されているのが望ましい。
【０００５】
しかるに従来品の場合は、図９に示されるように、リンク部材の下降動作が外筐体の底板で妨げられ、収納庫の使用位置、下降位置が外筐体の底板で制約を受けるものであった。従って従来品を使用すると、収納庫の使用位置、下降位置が高く、その結果物品の出し入れ操作を楽にできない、という問題点があった。
【０００６】
又従来品は、このように収納庫の使用位置が高いため、収納庫が使用位置に配置されると収納庫の上部で外筐体の底面が隠され、前方から見え難くくなったから、従来品によると収納庫の網棚等から外筐体の底面に落下した物品の確認や除去が不便であった。
【０００７】
本発明は、このような従来品の問題点に鑑み、提案されたものである。
【０００８】
従って本発明の技術的課題は、リンク部材の下降動作が外筐体の底板で制約を受けることを防止し、リンク部材の下降ストロークを長くして収納庫の使用位置を低くできるようにし、これによって収納物品の出し入れ操作を容易化すると共に、外筐体の底面上の落下物を容易に確認、排除できるよう形成した、使い勝手の良い昇降式アッパーキャビネットを提供することにある。
【課題を解決するための手段】
【０００９】
本発明は、上記の課題を解決するために、次のような技術的手段を採る。
即ち本発明は、図１等に示されるように、壁面１の上方位置に取り付けられる外筐体２と、この外筐体２に内蔵される収納庫４とを備え、この収納庫４が相対する両側のリンク部材５で外筐体２の前側下方の使用位置に回動されて配置自在に形成されている昇降式アッパーキャビネットであって、上記のリンク部材５の一端が上記の外筐体２の側板２ａの内面に軸７で枢着されると共に、他端が上記の収納庫４の外側壁４ａに軸９で枢着され、上記の外筐体２の底板２ｂに、上記のリンク部材５を通過させるための切欠部２１が、外筐体２の底板２ｂの前側が左右方向にわたって開口されて形成され、上記の収納庫４の底板が、前側を低く後側が高い状態で段差状に形成され、上記の切欠部２１に臨む収納庫４の前側の底板４ｂが外筐体２の底板２ｂと底面を面一にして形成されていることを特徴とする（請求項１）。
【００１０】
ここで外筐体２とは、収納庫４の納まる箇所を意味し、通常、ケース状に形成されている。リンク部材５は、収納庫４の格納時に、外筐体２内にデッドスペースを作ることなく効率良く納まるよう直線状に形成されるのが好ましいが、これに限定されるものではない。
【００１１】
而して本発明は、図１に示されるように、使用位置に配置された収納庫４の背板４ｃから壁面１までの距離Ｄが、外筐体２の奥行き寸法ｄと略一致するよう、リンク部材５の下降方向における最大回動角度が選定されているのが好ましい（請求項２）。
【００１２】
またこの場合、本発明は、リンク部材５の一端が外筐体２の側板２ａの内面に固定された金属板６に軸７で枢着され、他端が収納庫４の外側壁４ａの上部に固定された金属プレート８に軸９で枢着されているのが好ましい（請求項３）。
【００１３】
又本発明は、図３等に示されるように、収納庫４の前側の底板４ｂに昇降操作用の把手１２が外筐体２の底面より下方に突き出されて設けられているのが好ましい（請求項４）。
【００１４】
なぜならこの場合は、把手１２が外部に露出している分だけ収納庫４の容量を増加でき、又把手１２の位置が低いため、その分、収納庫４の昇降操作を楽にできるからである。
【発明の効果】
【００１５】
以上説明したように本発明は、壁面の上方位置に取り付ける外筐体の底板に、リンク部材を通過させるための切欠部を形成したものである。
【００１６】
従って本発明の場合は、上記の切欠部を介してリンク部材を回動させることができ、リンク部材の下降ストロークを長くできるから、これによれば収納庫の使用位置、配置位置を低くでき、収納物品の出し入れを楽にでき、又外筐体の底面に落下した物を容易に確認、除去できる。
又本発明は、上記の通り、切欠部に臨む収納庫の前側の底板を、外筐体の底板と底面を面一にして形成しているから、底面に目障りな段差がなくなり、下から見たときの体裁を良くできる。
【図面の簡単な説明】
【００１７】
【図１】本発明のキャビネットの好適な一実施形態を示す使用状態時の要部断面図である。
【図２】同上キャビネットの底面図である。
【図３】同上キャビネットの要部断面図である。
【図４】同上キャビネットの収納庫の下降動作時における斜視図である。
【図５】同上キャビネットの他の実施形態を示す底面図である。
【図６】図５のＶI−ＶI線における要部拡大断面図である。
【図７】図５のＶII−ＶII線における要部拡大断面図である。
【図８】図５のＶII−ＶII線における収納庫の動作時の要部拡大断面図である。
【図９】従来品を示す要部断面図である。
【発明を実施するための形態】
【００１８】
以下、本発明の好適な一実施形態を添付図面に従って説明する。
【００１９】
図１等において、１は例えば台所の壁面であり、２はこの壁面１の上方位置に取り付けられる外筐体である。この外筐体２は、前面開口状の箱形に形成されると共に、観音開きの扉３を備えてなる。
【００２０】
４は、外筐体２に内蔵される収納庫である。本発明品は、この収納庫４と上記の外筐体２とを備え、収納庫４が相対する両側のリンク部材５で外筐体２の前側下方の使用位置に回動されて配置自在に形成されている。収納庫４の両側に配設されたリンク部材５の一端は、外筐体２の側板２ａの内面に固定された金属板６に軸７で枢着されている。又リンク部材５の他端は、収納庫４の外側壁４ａの上部に固定された金属プレート８に軸９で枢着されている。１０はダンパーであり、１１はコイルスプリングである。
【００２１】
上記の外筐体２は、その底板２ｂに、上記のリンク部材５を通過させるための切欠部２１が形成されている。この切欠部２１は、図２に示されるように、外筐体２の底板２ｂの前側が左右方向にわたって開口されて形成されている。収納庫４の底板は、図１、図４等に示されるように、前側を低く後側が高い状態で段差状に形成されている。そして、切欠部２１に臨む収納庫４の前側の底板４ｂは、外筐体２の底板２ｂと底面を面一にして形成されている。
【００２２】
１２は、昇降操作用の把手である。又この実施形態の本発明品は、外筐体２の扉３が閉められると、収納庫４が密閉されるよう、外筐体２の扉３が当接する収納庫４の前端面に、パッキン１３が貼られている。
【００２３】
Ｄ（図１参照）は、使用位置に配置された収納庫４の背板４ｃから壁面１までの距離である。又ｄは、外筐体２の奥行き寸法を示す。この実施形態の本発明品は、距離Ｄが、外筐体２の奥行き寸法ｄと略一致するよう、リンク部材５の下降方向における最大回動角度が選定されている。
【００２４】
而して本発明品の場合、使用者が、把手１２を把持して手前に引くと、リンク部材５で支持された収納庫４が平行状態を保ちながら回動し、ダンパー１０とコイルスプリング１１の作用で徐々に下降する。そしてリンク部材５は、外筐体２の底板２ｂに形成されている切欠部２１を介して、外筐体２の底板２ｂから下方に突き出される（図１の状態参照）。従って本発明品の場合は、従来品（図９参照）に比べ、収納庫４の使用位置、配置位置を低くできる。
【００２５】
以上の処において、本発明は、図５〜図７に示されるように、収納庫４の前側の底板４ｂの両側辺部４ｂ2と外筐体２の両側板２ａの下面２ａ1とを、収納庫４の格納時に密着させると共に、収納庫４の前側の底板４ｂと外筐体２の底板２ｂとの突き合わせ面４ｂ3、２ｂ1を密着させ、外筐体２を密閉自在に形成するのでも良い。
【００２６】
この本発明品の場合は、具体的には収納庫４の底板４ｂの両側辺部４ｂ2の上面、又は外筐体２の両側板２ａの下面２ａ1の何れか一方の面、或いはその両方の面にパッキン１３を貼ると共に、収納庫４の底板４ｂと外筐体２の底板２ｂとの突き合わせ面４ｂ3、２ｂ1の何れか一方の面、或いは両方の面にパッキン１３を貼ることで実現される。この実施形態では、収納庫４の底板４ｂの両側辺部４ｂ2の上面にパッキン１３が貼られると共に、外筐体２の底板２ｂの突き合わせ面２ｂ1にパッキン１３が貼られている。
【００２７】
而して本発明品が、このように形成される場合は、外筐体２の防虫性、防湿性が良くなり、虫やスチームの侵入による不利益を一掃できるものである。
【符号の説明】
【００２８】
１    壁面
２    外筐体
２ａ  側板
２ｂ  外筐体の底板
２１  切欠部
４    収納庫
４ａ  外側壁
４ｂ  前側の底板
５    リンク部材
７    軸
９    軸
【図１】
2012106108.tif 000003
【図２】
2012106108.tif 000004
【図３】
2012106108.tif 000005
【図４】
2012106108.tif 000006
【図５】
2012106108.tif 000007
【図６】
2012106108.tif 000008
【図７】
2012106108.tif 000009
【図８】
2012106108.tif 000010
【図９】
2012106108.tif 000011